(57)【要約】【課題】電極と振動子の対向面積を増大し、消費電力の低い電気機械共振器を提供する。【解決手段】本発明は電気機械共振器の振動子の少なくとも2面、すなわち側面部、及び上面部の両面に固定電極を設置して振動を励起させることを特徴とする。主に固定電極の配置において、振動子の片側の側面、及び上面に電極を設置すると振動子の中心を回転軸として回転モーメントが働くことになる。本発明の固定電極配置によれば、製造方法を複雑にすることなく電極形成が可能となり、素子抵抗を改善するために必要な容量面積も増やすことができる。ねじり振動で共振させる電気機械共振器として最適な固定電極の配置を実現する。【選択図】図１
2009278369.tif 000002
【特許請求の範囲】
【請求項１】
固定電極と、
前記固定電極とギャップを介して形成された振動子とを具備した共振部を備え、
前記固定電極が前記振動子の少なくとも2面にわたって配置された電気機械共振器。
【請求項２】
請求項１に記載の電気機械共振器であって、
前記固定電極が振動子の側面と上面に配置された電気機械共振器。
【請求項３】
請求項２に記載の電気機械共振器であって、
前記固定電極が振動子の上面で2分割され、それぞれ入力端子および出力端子を構成する電気機械共振器。
【請求項４】
請求項３に記載の電気機械共振器であって、
前記振動子はねじり振動を有する電気機械共振器。
【請求項５】
請求項４に記載の電気機械共振器であって、
前記振動子は、長手方向に同一径をもつ梁構造を有する電気機械共振器。
【請求項６】
請求項４に記載の電気機械共振器であって、
前記振動子はパドル型構造を有する電気機械共振器。
【請求項７】
請求項４に記載の電気機械共振器であって、前記振動子はダンベル型構造を有する電気機械共振器。
【発明の詳細な説明】
【技術分野】
【０００１】
本発明は、電気機械共振器に係り、特にＭＥＭＳ(Micro Electro Mechanical Systems) 技術を用いて作製する電気機械共振器に関する。
【背景技術】
【０００２】
無線通信システムフロントエンド部の基準発振器、及びマイコンのクロック用に使われているタイミング・デバイスとして、現在は主に水晶が利用されている。水晶は、温度特性や周波数の安定性などの観点から多くの商品に活用されているが、サイズが大きいことやICとの集積化が困難であることから、シリコン微細加工技術を用いた電気機械共振器が注目されている。
【０００３】
近年では、さまざまな分野で超微細化を実現する電気機械素子を用いたＭＥＭＳ技術が進展しており、特に製造方法としてシリコン・プロセスを利用する電気機械共振器のモノシリック化の実現が期待されている。又、電気機械共振器のエネルギー損失を示す値（Quality Factor, Q）とは構造の表面エネルギー損失、機械的振動の散逸などによる振動エネルギー損失が挙げられるが、特に高Q値化を実現するためには、共振器に最適な機械振動モードや構造を支える支持部の工夫が必要となってくる。例えば構造の支持部からの振動散逸を低減するねじり振動モードなどを用いることで、エネルギー損失が少ない高Qで低損失の電気機械共振器を実現することができる。
【０００４】
図１６、図１７は、ねじり振動モードを有した電気機械共振器（非特許文献１、２）の例を示す。図１６は共振器の振動子１０１とその下層部に配置された固定電極１０３でねじり振動を構成する例である。共振器の固定電極１０３に電気信号を入力すると振動子１０１に回転モーメントが発生し、支持部１０５を中心にねじり振動が励振されることになる。
【０００５】
非特許文献２では、図１７に示すように共振器の振動子１０７とその側面に固定電極１０９を配置した構造により、ねじり振動を励振させるように構成されている。図１７に示す共振器においては、固定電極１０９に電気信号を入力すると、振動子１０７と固定電極１０９の間に働く静電力により振動子１０７がねじり振動を有し、振動子の固有振動数すなわち共振周波数で励振される。
このように従来の電気機械共振器では、固定電極を振動子の下層部に配置する方法（図１６）、及び固定電極を振動子の側面に配置する方法（図１７）で、共振器のねじり振動を励起させる構成をとっている。
【０００６】
【非特許文献１】K. Petersen,“Silicon Torsional Scanning Mirror” IBM J. Res.Develop., vol 24, no. 5, Sept. 1980
【非特許文献２】R.E. Milhailovich, N.C. MacDonald, “Dissipation Measurements of Vacuum-operated Single-crystal Silicon Microresonators”, Sensors and Actuators A 50 (1995) 199-207.
【発明の開示】
【発明が解決しようとする課題】
【０００７】
しかし、非特許文献１の電気機械共振器で示す固定電極の配置方法では、振動子の下層部に電極を設置するため、共振器が多層構造になり製造方法が困難になる課題が発生する。
又、非特許文献２の電気機械共振器で示す固定電極の配置方法では、振動子の側面に電極を設置するため、電極と振動子が重なり、容量を生成する容量面積が小さくなり、回転モーメントを駆動させる静電力が小さくなる。又、いずれの構造も容量面積が小さいため共振器の素子抵抗を下げることが困難になり、発振器の低消費電力化が課題となる。
本発明は前記実情に鑑みてなされたもので、電極と振動子の対向面積を増大し、消費電力の低い電気機械共振器を提供することを目的とする。
【課題を解決するための手段】
【０００８】
上記課題を解決するため、本発明は電気機械共振器の振動子の少なくとも２面、すなわち側面部、及び上面部の両面に固定電極を設置してねじり振動あるいはたわみ振動を励起させるようにしたことを特徴とする。主に固定電極の配置において、振動子の片側の側面、及び上面に電極を設置すると振動子の中心を回転軸として回転モーメントが働くことになる。
本発明の固定電極配置によれば、製造方法を複雑にすることなく電極形成が可能となり、素子抵抗を改善するために必要な容量面積も増やすことができ、ねじり振動で共振させる電気機械共振器として最適な固定電極の配置を実現する。
【発明の効果】
【０００９】
本発明の電気機械共振器の電極配置では、製造方法を複雑にすることなく振動子の側面部と上面部に固定電極を配置することを可能とする。又、振動子と固定電極間で重なる容量面積を増大するため、回転モーメントを発生させる駆動力が改善され、共振器の素子抵抗が下がるため、消費電力の改善にも効果的である。
また、本発明の電気機械共振器では、固定電極を形成するためのパターンを調整するだけで所望のねじりモーメントを生成し得、ねじり振動をする電気機械共振器の設計が容易となる。
【発明を実施するための最良の形態】
【００１０】
以下、本発明の実施の形態について、図面を参照しつつ詳細に説明する。
(実施の形態１)
図１、図２は、本発明の実施の形態１の電気機械共振器を示す概略説明図である。
本発明の電気機械共振器は図１に断面図を示すように、台形梁構造の振動子１３と、この振動子の上面および側面に所定の間隔（エアギャップ）１５，１７を隔てて配置された固定電極１１(固定電極１１ａ、１１ｂ)で構成されており、振動子１３はねじり振動の基本（一次）モードを有する。振動子１３と固定電極１１の間にはエアギャップ１５とエアギャップ１７が形成され、これらを介して振動子１３と固定電極１１の間で容量結合が形成される。エアギャップ１５は振動子１３の上面部とその上に重なる固定電極１１との間に形成されており、エアギャップ１７は振動子１３の側面部とその側面に重なる固定電極１１との間に形成されている。
ここで左右の固定電極１１ａ、１１ｂの形状が調整され、振動子１３とのオーバラップ面積が所望の値となるように構成されている。
【００１１】
図１で示す振動子１３の斜線はねじり振動で励振された状態を表す。図１に示す固定電極によれば、振動子１３と固定電極１１の結合領域が増えるため共振器の容量面積が増加し、ねじり振動を発生させる回転モーメントが大きくなる。又、容量面積が増加することにより、共振器の等価回路を表す素子抵抗(Rx) が小さくなる。素子抵抗(Rx)は以下の式１で表される。
【００１２】
（式１）：
Rx = [Kr/(wo*Q*VDC2)]*[do4/(eo2*A2)]
【００１３】
ここでKrは共振器のばね定数、woは共振周波数、doはエアギャップ幅、Aは容量結合を構成する領域の面積を表す。式１から示される共振器の素子抵抗は、容量面積の２乗に反比例の関係にあるため、本発明の固定電極の配置により素子抵抗の改善に効果的であることがわかる。図２は図１の構成を上面図から表した説明図であり、固定電極１１の一方を電気信号の入力端子（Ｖｉｎ）１１ａに、固定電極１１の他方を電気信号の出力端子（Ｖｏｕｔ）１１ｂとしている。振動子１３に接続されているVDCは共振器の振幅を増幅させる役目を果たすものであり、振動子１３にDC電圧を印加する。
【００１４】
次に本発明の実施の形態１の電気機械共振器の製造方法について説明する。
【００１５】
図３は本発明の実施の形態１における電気機械共振器の製造方法を示す図である。
まず、材料基板１としてシリコン基板表面に、第１の絶縁膜３としての酸化シリコン層を介して単結晶シリコン薄膜１３を形成したＳＯＩ基板を用意する。
【００１６】
次いで、図３(a)に示すように、フォトリソグラフィによりマスクパターンを形成し、このマスクパターンを用いて異方性エッチングを行うことにより、（傾斜角５４．７度の）傾斜した側面をもつ断面台形の梁状体からなる振動子１３を形成し、この上層に、図３(b)に示すように、第２の絶縁膜５として酸化シリコン層を成膜する。
【００１７】
そして図３(ｃ)に示すように、第２の絶縁膜５上に、ＣＶＤ法により、固定電極１１となるドープト多結晶シリコン層を成膜する。このとき、平坦な膜を形成するように減圧ＣＶＤ法などを用いるのが望ましい。
【００１８】
次に、図３(ｄ)に示すように、この固定電極１１となる多結晶シリコン層にマスクパターンを形成して溝（開口）Ｏ１を堀り、振動子１１の上層に形成される第２の絶縁膜５を露出する。
【００１９】
最後に、図３(ｅ)に示すように、表面に露呈する第２の絶縁膜５をエッチングにより除去し、エアギャップ１５，１７を形成するとともに振動子１３の下にある第１の絶縁膜３を除去し、電気機械共振器を形成する。
【００２０】
このようにして、図１に示した電気機械共振器を作業性よく形成することができる。
【００２１】
なお、前記実施の形態１では、固定電極１１を基板上のポストとしての第１の絶縁膜３を介して形成しており、振動子１３の下のこのポストに対応する部分をエッチング除去することにより、振動子１３を選択的に可動にすることができる。
また、振動子１３の上面は水平面、側面は傾斜面であり、この水平面および傾斜面に沿って所定の間隔のエアギャップ１５，１７を隔てて固定電極１１が大面積にわたって対向しており、良好に静電力が作用するように構成されている。
【００２２】
なお、前記実施の形態では、振動子１３を構成する断面台形の梁状体を単結晶シリコンで構成しているため、この振動子１３のパターニングに際し、シリコンの異方性エッチングにより極めて制御性よく形状加工を行うことができる。
【００２３】
また、本実施の形態では出発材料を構成する材料基板としてシリコン基板に単結晶シリコン基板を貼着して形成したＳＯＩ基板を用いたが、多結晶シリコンあるいはアモルファスシリコンを貼着したＳＯＩ基板を用いてもよいことはいうまでもない。このときは単結晶の結晶面に依存する異方性エッチングをエッチング終点として用いるという制御ができない。
【００２４】
なお、本発明の電気機械共振器では、構造として側面が基板に対して傾斜する斜面を有する台形断面梁を用いたが、構造の側面が基板に対して垂直である四角形、及び長方形の梁型共振器においてもこの電極の配置により、同様の効果を得ることができる。
【００２５】
また、本発明の電気機械共振器では、振動子１３を構成する梁の両端が支持されているが、この支持が片持ちである構造、及び中心から支持されている構造においても、この電極の配置により、同様の効果を得ることができる。
【００２６】
(実施の形態２)
次に本発明の実施の形態２について説明する。
本実施の形態では、基本構造は前記実施の形態１の電気機械共振器と同様に形成されているが、前記実施の形態１では上部に形成した開口Ｏ１を介して犠牲層としての第１および第２の絶縁膜３，５を除去したのに対し、本実施の形態では、図４（ｅ）に示すように、基板１を貫通させて犠牲層としての第１および第２の絶縁膜３，５を基板下からも除去するようにしたことを特徴とするものである。
【００２７】
図４は本発明の実施の形態２における電気機械共振器の製造方法を示す図である。
図４（ａ）乃至（ｃ）に示す工程までは前記実施の形態１の図３（ａ）乃至（ｄ）およびその説明に示した工程と同様である。このようにして第２の絶縁膜５上に、ＣＶＤ法により、固定電極１１となるドープト多結晶シリコン層を成膜する。そして図４(ｄ)に示すように、この固定電極１１となる多結晶シリコン層にマスクパターンを形成して溝Ｏ１を堀り、振動子１１の上層に形成される第２の絶縁膜５を露出するとともに基板１の裏面側にマスクパターンを形成して基板１に溝Ｏ２を開口する。
【００２８】
そして最後に図４(ｅ)に示すように、溝Ｏ１、Ｏ２からエッチング液が入りこむようにし、表面に露呈する第２の絶縁膜５をエッチングにより除去し、エアギャップ１５，１７を形成するとともに振動子１３の下にある第１の絶縁膜３を除去し、電気機械共振器を形成する。
【００２９】
このようにして、電気機械共振器を作業性よく形成することができる。
梁の幅が広くなると振動子１３の下層部に形成された犠牲層（第１の絶縁膜３）の除去が難しくなるが、この方法によれば、エッチング液が回り込みやすく良好にエアギャップが形成される。
【００３０】
(実施の形態３)
図５は、本発明の実施の形態３の電気機械共振器を示す概略説明図である。
本発明の電気機械共振器は図５に上面図を示すように、パドル型共振器の振動子２１と固定電極２３で構成されており、共振器はねじり振動を有するように固定電極２３がパターニングされている。パドル型共振器は梁型共振器に対して振動子の質量が大きいため、低い共振周波数を有する。本発明によれば、振動子２１のパドル部３３の近傍に形成する固定電極２３を振動子２１の側面部と上面部に形成することで、最適なねじり振動を励起することが可能となる。効果としては実施の形態１と同様である。
【００３１】
なお、本発明では固定電極２３を振動子２１のパドル部３３のみに配置したが、固定電極を振動子の梁部３５にも配置してねじり振動を励起させることで、同様な効果が得られるが、さらなる静電容量の増大をはかり駆動力を高めることで、駆動電圧の低減をはかることができる。
【００３２】
(実施の形態４)
図６は、本発明の実施の形態４の電気機械共振器を示す概略説明図である。
本発明の電気機械共振器は図６に上面図を示すように、ダンベル型共振器の振動子２５と固定電極２７で構成されており、共振器はねじり振動を有する。ダンベル型共振器は構造の中心から支持部２９で支持されており、パドル部３７（３７ｕ、３７ｄ）の左右の位相が反転して駆動し、振動子２５がねじり振動で励起される。この場合、構造の節３１は振動子２５の中心で構成されることになる。
【００３３】
振動子２５は、ねじり振動の軸となる第１の梁４０と、この第１の梁４０の両端に形成されたパドル部３７（３７ｕ、３７ｄ）と、節３１からこの第１の梁４０と直交する方向に伸長する第２の梁２９と、この第２の梁２９の両端にそれぞれ形成された支持部３０ａ、３０ｂとを具備している。
【００３４】
パドル部３７（３７ｕ、３７ｄ）は、それぞれ両端を第１乃至第４の固定電極（２７ａ〜２７ｄ）と対向しており、互いに点対称位置にある第１の電極２７ａと第３の電極２７ｃ、第２の電極２７ｂと第４の電極２７ｄが同電位となるように構成され、それぞれ入力端子、および出力端子を構成している。
【００３５】
本実施の形態ではパドル部３７（３７ｕ、３７ｄ）の左右の位相が反転するように、駆動され、振動子２５がねじり振動で励起される。
【００３６】
図７は本発明のダンベル型共振器の振動子２５がねじり振動で共振したシミュレーション結果の一例を示す。固定電極の配置方法による効果としては実施の形態１と同様である。
【００３７】
(実施の形態５)
図８、図９は、本発明の実施の形態５の電気機械共振器を示す概略説明図である。
本発明の電気機械共振器は図８に上面図、図９に図８のＡ―Ａ’ 断面図を示すように、台形梁構造の振動子１３の長さ方向に所定の間隔で８個の貫通孔Ｈを設けた構造であり、梁の幅が広くなると振動子１３の下層部に形成された犠牲層（第１の絶縁膜３）の除去が難しくなるが、製造工程において、この貫通孔Ｈがエッチング液の注入口として働くことで、製造が容易となる。またこの貫通孔Ｈは振動子１３の中心軸を通るように形成されているため、ねじり運動に与える影響は大きくはない。
【００３８】
他は、図１および２に示した前記実施の形態１の電気機械共振器と同様に構成されている。
この構成によれば、貫通孔Ｈの存在により、エッチング液の注入が容易となり構造開放が簡単になる。
【００３９】
(実施の形態６)
図１０および図１１は、本発明の実施の形態６の電気機械共振器を示す概略説明図、図１２はこの製造工程を示す図である。
本発明の電気機械共振器は図１０に上面図、図１１に図１０のＢ―Ｂ’ 断面拡大図を示すように、図５に示した実施の形態３の電気機械共振器の変形例であり、パドル部３３に多数の貫通孔Ｈ１を形成するとともに、図１１に示すように、振動子１３は、各貫通孔Ｈ１に対してテーパ面を構成している。この貫通孔Ｈ１の端面形状に沿って、この上層にエアギャップ１５，１７を隔てて形成される固定電極２３もテーパ面を構成しており、その分容量面積を増大することができる。また、台形梁構造の振動子２１は、パドル部３３および梁部３５ともに所定の間隔で８個の貫通孔Ｈ１を有するため、梁の幅が広くなっても振動子２１の下層部に形成された犠牲層（第１の絶縁膜３）の除去に際し、ここでも貫通孔Ｈ１がエッチング液の注入口として働くことで、製造が容易となる。またこの貫通孔Ｈ１は振動子１３の中心軸に対して対称に配置されているため、ねじり運動に与える影響は大きくはない。
さらにまた、本実施の形態では、固定電極２３がパドル部３３の端縁を覆うように大きく構成されており、パドル部３３の端縁のテーパ面も容量面積として、容量の増大に大きく寄与することになる。
【００４０】
他は、図５に示した前記実施の形態３の電気機械共振器と同様に構成されている。
【００４１】
ここでも右の固定電極２３ａ、２３ｂの形状が調整され、振動子２１とのオーバラップ面積が所望の値となるように構成されている。本実施の形態の電気機械共振器においても、前記実施の形態３と同様、固定電極２３の一方を電気信号の入力端子（Ｖｉｎ）２３ａに、固定電極２３の他方を電気信号の出力端子（Ｖｏｕｔ）２３ｂとしている。振動子２１に接続されているVDCは共振器の振幅を増幅させる役目を果たすものであり、振動子２１にDC電圧を印加する。
【００４２】
図１２は本発明の実施の形態６における電気機械共振器の製造方法を示す図であり、図１１のＢ−Ｂ’ 断面図に相当する。
まず、材料基板１としてシリコン基板表面に、第１の絶縁膜３としての酸化シリコン層を介して単結晶シリコン薄膜２１を形成したＳＯＩ基板を用意する。
【００４３】
次いで、フォトリソグラフィにより貫通孔を開口するためのパターンを含むマスクパターンを形成し、このマスクパターンを用いて異方性エッチングを行うことにより、貫通孔を含む振動子のパターニングを行なう。ここでは貫通孔および端面において（傾斜角５４．７度の）傾斜した側面をもつ断面台形の梁状体からなるパドル部３３を含む振動子２１を形成し、この上層に、第２の絶縁膜５として酸化シリコン層を成膜する。
【００４４】
そして図１２(ａ)に示すように、第２の絶縁膜５上に、ＣＶＤ法により、固定電極２３となるドープト多結晶シリコン層を成膜する。このときも、平坦な膜を形成するように減圧ＣＶＤ法などを用いるのが望ましい。
【００４５】
次に図１２(ｂ)に示すように、この固定電極２３となる多結晶シリコン層にマスクパターンを形成して溝（開口）Ｏ１を堀り、振動子２１の上層に形成される第２の絶縁膜５を露出する。
【００４６】
最後に図１２(ｃ)に示すように、表面に露呈する第２の絶縁膜５をエッチングにより除去し、エアギャップ１５，１７を形成するとともに振動子１３の下にある第１の絶縁膜３を除去し、電気機械共振器を形成する。
【００４７】
この方法によれば、貫通孔が多数設けられているため、この貫通孔となる開口Ｏ１を介してエッチング液が入り込むため、図１０に示した電気機械共振器を作業性よく形成することができる。
【００４８】
(実施の形態７)
次に本発明の実施の形態7の電気機械共振器の製造工程について説明する。
本発明の電気機械共振器は、上面図については図１０および図１１に示した前記実施の形態６と略同様であるが、本実施の形態では、図１３に示すように、振動子を構成する梁が貫通孔をもつことなく、凹凸を構成したことを特徴とするもので、この凹凸により電極面積の増大を図るようにし、容量の増大を図ることができる。
なおこの場合は、下方の犠牲層の除去が困難となるため、前記実施の形態３と同様基板側に開口を形成し、この開口を介してエッチング液を注入することが必要となる。
【００４９】
図１３は本発明の実施の形態７における電気機械共振器の製造方法を示す図であり、図１１のＢ−Ｂ’ 断面図に相当する。
まず、材料基板１としてシリコン基板表面に、第１の絶縁膜３としての酸化シリコン層を介して単結晶シリコン薄膜２１を形成したＳＯＩ基板を用意する。
【００５０】
次いで、フォトリソグラフィにより貫通孔を開口するためのパターンを含むマスクパターンを形成し、このマスクパターンを用いて異方性エッチングを行うことにより、（傾斜角５４．７度の）傾斜した側面をもつ断面台形の梁状体からなるパドル部３３を含む振動子２１を形成するが、ここで前記実施の形態６と異なるのは、貫通孔Ｈ１を形成することなく、所定の間隔で、側面がテーパ面となる凹部Ｃ１を形成する点である、そして、この上層に、第２の絶縁膜５として酸化シリコン層を成膜する。
【００５１】
そして図１３(ａ)に示すように、第２の絶縁膜５上に、ＣＶＤ法により、固定電極２３となるドープト多結晶シリコン層を成膜する。このときも、平坦な膜を形成するように減圧ＣＶＤ法などを用いるのが望ましい。
【００５２】
次に図１３(ｂ)に示すように、この固定電極２３となる多結晶シリコン層にマスクパターンを形成して溝（開口）Ｏ１を堀り、振動子２１の上層に形成される第２の絶縁膜５を露出する。
【００５３】
最後に図１３（ｃ)に示すように、基板１の裏面側にもマスクパターンを形成し、裏面側から貫通開口部Ｏ２を形成し、第１の絶縁膜３および、表面に露呈する第２の絶縁膜５をエッチングにより除去し、エアギャップ１５，１７を形成するとともに振動子１３の下にある第１の絶縁膜３を除去し、図１３（ｄ)に示すように、電気機械共振器を形成する。
【００５４】
この方法によれば、上面側は固定電極２３に貫通孔が多数設けられているため、この貫通孔となる開口Ｏ１を介してエッチング液が入り込み、犠牲層を除去することができ、一方裏面側の開口部Ｏ２を介して梁の下部にエッチング液が入り込むため、電気機械共振器を作業性よく形成することができる。
【００５５】
(実施の形態８)
図１４は、本発明の実施の形態８の電気機械共振器を示す上面図である。本実施の形態ではパドル部３３を枠状の錘に形成したもので、２段階のテーパ断面を有する。この枠状のパドル部３３にギャップ幅を介して固定電極を形成する。
この構成によれば、固定電極の強度を改善することができる。例えばパドル部３３が大きな領域を有する場合、その上面に形成される固定電極は側面に形成される固定電極と繋がっているため、段差を有する片持ち構造に相当する。しかしその場合、微小なギャップを均一に保持して固定電極を形成するのが困難になる。そのため、２段階のテーパ断面をもつ枠状にすることで電極の強度を改善する。
【００５６】
(実施の形態９)
図１５は、本発明の実施の形態９の電気機械共振器を示す図であり図１５（ａ）は上面図、図１５（ｂ）は要部断面図である。本実施の形態は枠状の錘３３の内側にパドル部３７を形成し、梁３９で枠状に接続された構造である。
この構成によれば、支持部３５から基板へ振動が散逸する損失を低減する。図１５（ｂ）は枠状の錘３３とパドル部３７が駆動した状態の断面図を示し、回転モーメントがそれぞれ反対にかかり振動することになる。これにより、枠状の錘３３とパドル部３７の接続点では回転モーメントが発生しない領域となり、振動の散逸を改善する。
【００５７】
なお、本実施の形態の固定電極は、枠状の錘３３の上面と外側の側面に形成されたが、その構成には限定せず、例えばパドル部３７の側面と上面に形成する方法、及び錘３３とパドル部３７の両方に形成する構成を用いても良い。
【００５８】
また、前記実施の形態では、ねじり振動を構成する電気機械共振器について説明したが、ねじり振動に限定されることなくたわみ振動の場合にも適用可能であり、容量面積を増大できることから、より小型化、および駆動電力の低減が可能となることはいうまでもない。
【００５９】
さらに、ねじり振動の生起に際し、位相を反転させる例について説明したが、位相は反転する必要はなく、ずれていればよい。
【産業上の利用可能性】
【００６０】
本発明にかかる電気機械共振器は、振動子と固定電極との容量結合面積を増大し、ねじり振動に最適な電極構造を有し、製造方法の簡易化による低コスト化、及び低消費電力化、小型化が可能となり、電気機械フィルタ、電気機械スイッチをはじめとし携帯端末など種々の小型機器への適用が可能となる。
【図面の簡単な説明】
【００６１】
【図１】本発明の実施の形態１における電気機械共振器を示す断面図
【図２】本発明の実施の形態１における電気機械共振器を示す上面図
【図３】本発明の実施の形態１における電気機械共振器の製造工程を示す図
【図４】本発明の実施の形態２における電気機械共振器の製造工程を示す図
【図５】本発明の実施の形態３における電気機械共振器を示す上面図
【図６】本発明の実施の形態４における電気機械共振器を示す上面図
【図７】本発明の実施の形態４のねじり振動をシミュレーション結果で示す斜視図
【図８】本発明の実施の形態５における電気機械共振器を示す上面図
【図９】本発明の実施の形態５における電気機械共振器を示す断面図
【図１０】本発明の実施の形態６における電気機械共振器を示す上面図
【図１１】本発明の実施の形態６における電気機械共振器を示す上面拡大図
【図１２】本発明の実施の形態６における電気機械共振器の製造工程の一部を示す断面図
【図１３】本発明の実施の形態７における電気機械共振器の製造工程の一部を示す断面図
【図１４】本発明の実施の形態８における電気機械共振器を示す上面図
【図１５】本発明の実施の形態９における電気機械共振器を示す図（ａ）は上面図（ｂ）は要部断面図
【図１６】従来例における電気機械共振器を示す断面図
【図１７】従来例における電気機械共振器を示す断面図
【符号の説明】
【００６２】
１１、２３、２７、１０３、１０９  固定電極
１３、２１，２５、１０１、１０７  振動子
１５  振動子の上面部に構成するエアギャップ
１７  振動子の側面部に構成するエアギャップ
２９、１０５  支持部
３１  節
３３，３７  パドル部
３５、４０  梁部
【図１】
2009278369.tif 000003
【図２】
2009278369.tif 000004
【図３】
2009278369.tif 000005
【図４】
2009278369.tif 000006
【図５】
2009278369.tif 000007
【図６】
2009278369.tif 000008
【図７】
2009278369.tif 000009
【図８】
2009278369.tif 000010
【図９】
2009278369.tif 000011
【図１０】
2009278369.tif 000012
【図１１】
2009278369.tif 000013
【図１２】
2009278369.tif 000014
【図１３】
2009278369.tif 000015
【図１４】
2009278369.tif 000016
【図１５】
2009278369.tif 000017
【図１６】
2009278369.tif 000018
【図１７】
2009278369.tif 000019